(57)【要約】【課題】小容量の遮断器を直列に２本用いると共に２本の遮断器を同時に開閉する構成を採用すると、固定電極と可動電極との「ギャップ」や可動電極の「圧接量」が相互に相関関係を有し、これらの調整が難しい。【解決手段】容器１６ａの内部に、固定電極１６ｂを内端部に有する固定リード棒１６ｃを固定し、可動電極１６ｄを内端部に有する可動リード棒１６ｅを移動自在に導入して真空インタラプタ１６を構成し、当該真空インタラプタ１６を、固定リード棒１６ｃ同士が接続された状態で同一軸心上に配置するとともに、相互に反対方向に臨む夫々の可動リード棒１６ｅを連結手段２６を介して単一の駆動手段２２に連動連結した【選択図】　図１
2004064835.tif 000002
【特許請求の範囲】
【請求項１】
容器の内部に、固定電極を内端部に有する固定リード棒を固定し、前記固定電極に接近・離反する可動電極を内端部に有する可動リード棒を移動自在に導入して遮断器を構成し、当該遮断器を、前記固定リード棒同士が接続された状態で同一軸心上に配置するとともに、相互に反対方向に臨む夫々の前記可動リード棒を連結手段を介して単一の駆動手段に連動連結したことを特徴とするガス絶縁開閉装置。
【請求項２】
夫々の前記遮断器における可動側の充電部を接地するための接地開閉器を、夫々の前記遮断器の側方に配置したことを特徴とする請求項１に記載のガス絶縁開閉装置。
【発明の詳細な説明】
【０００１】
【発明の属する技術分野】
本発明は、遮断器を直列に２本用いると共に２本の遮断器を同時に開閉する構成のガス絶縁開閉装置に関する。
【０００２】
【従来の技術】
大容量の電流を遮断するには大きな遮断器が必要になるが、耐圧上の問題があることから、現状の技術で対応できるように小容量の遮断器を直列に２本用いると共に２本の遮断器を同時に開閉する構成を採用している。このように構成したガス絶縁開閉装置を図２に示す。
【０００３】
図のように、絶縁ガスが充填された一対の容器１の内部に、固定電極２ａが固着された固定リード棒２と、可動電極３ａが固着された可動リード棒３とが気密に導入され、一対の真空インタラプタ（遮断器）を構成している。図示しない駆動手段に連動連結されて往復移動可能な絶縁ロッド４の右端には連結金具５が圧接バネ６により右方へ付勢された状態で移動可能に設けられており、交差させて配置した２組のリンク７，８の一端が連結金具５に回動自在に結合される一方、他端が夫々の可動リード棒３に回動自在に結合されている。容器１の端部を閉塞する基台１２を図示しないベローズを介して気密に貫通する一対の可動リード棒３の相互に対向する部分の外周を囲繞するように、複数の摺動接触子９が設けられている。なお、１０は２組のローラであり、１１はローラ１０を案内する溝である。
【０００４】
斯かるガス絶縁開閉装置では、図示しない駆動手段により、絶縁ロッド４を右方へ移動させると、２組のリンク７，８を介して一対の可動リード棒３が相互に離反する方向へ押圧され、夫々の可動電極３ａが夫々の固定電極２ａに押圧される。このため、一対の真空インタラプタが同時に投入され、圧接バネ６により可動電極３ａが夫々の固定電極２ａに圧接された状態となる。一方、絶縁ロッド４を左方へ移動させると、一対の可動リード棒３が相互に接近する方向へ引張られ、夫々の可動電極３ａが夫々の固定電極２ａから離れ、一対の真空インタラプタが同時に遮断される。
【０００５】
【発明が解決しようとする課題】
ところが、一対の真空インタラプタの間に夫々の真空インタラプタの可動リード棒を配置し、夫々の可動リード棒を単一の絶縁ロッドで操作する構成であるため、固定電極と可動電極との「ギャップ」や可動電極の「圧接量」が相互に相関関係を有し、これらの調整が難しい。また、メンテナンスとして真空インタラプタを開いて真空度を測定する際に、双方の同時操作となってしまって一方の真空インタラプタのみの操作が行なえないため、真空度が低下した真空インタラプタを特定することができない。
【０００６】
そこで本発明は、斯かる課題を解決したガス絶縁開閉装置を提供することを目的とする。
【０００７】
【課題を解決するための手段】
斯かる目的を達成するための請求項１に係るガス絶縁開閉装置の構成は、容器の内部に、固定電極を内端部に有する固定リード棒を固定し、前記固定電極に接近・離反する可動電極を内端部に有する可動リード棒を移動自在に導入して遮断器を構成し、当該遮断器を、前記固定リード棒同士が接続された状態で同一軸心上に配置するとともに、相互に反対方向に臨む夫々の前記可動リード棒を連結手段を介して単一の駆動手段に連動連結したことを特徴とする。
【０００８】
斯かるガス絶縁開閉装置では、固定電極と可動電極との「ギャップ」や可動電極の「圧接量」が遮断器ごとに独立しているので、これらの調整が容易である。
【０００９】
請求項２に係るガス絶縁開閉装置の構成は、夫々の前記遮断器における可動側の充電部を接地するための接地開閉器を、夫々の前記遮断器の側方に配置したことを特徴とする。
【００１０】
斯かるガス絶縁開閉装置では、遮断器の並ぶ方向ではなく、遮断器の側方に接地開閉器が配置されているので、ガス絶縁開閉装置の大型化が抑制される。
【００１１】
【発明の実施の形態】
以下、本発明によるガス絶縁開閉装置の実施の形態を説明する。
【００１２】
図１に示す各構成部材が、絶縁ガスの充填されたタンクの内部に収容されている。取付板１３が設けられ、取付板１３の中間の高さ位置に、碍子１４を介して接続導体１５が取り付けられており、接続導体１５の上下には同一軸である鉛直軸に沿って、夫々真空インタラプタ（遮断器）１６が取り付けられている。真空インタラプタ１６は、真空容器１６ａの内部に、固定電極１６ｂを内端部に有する固定リード棒１６ｃを固定し、可動電極１６ｄを内端部に有する可動リード棒１６ｅを図示しないベローズを介して気密かつ移動自在に導入して構成されている。夫々の真空インタラプタ１６は、固定リード棒１６ｃを接続導体１５に結合することによって取り付けられている。
【００１３】
双方の真空インタラプタ１６を単一の駆動手段により操作するための連結手段２６の構造を説明する。取付板１３の上下部には碍子１４を介して接続導体１７が夫々設けられており、前記可動リード棒１６ｅは接触子１７ａを介して摺動自在に接続導体１７を貫通している。接続導体１７には支持軸１７ｂを介して回動自在にレバー１８が設けられ、当該レバー１８の一端に回動自在に可動リード棒１６ｅが結合される一方、他端には水平方向へ伸びる絶縁ロッド１９の一端が回動自在に結合されている。絶縁ロッド１９の中間位置には圧接バネ１９ａが設けられている。取付板１３の上下端には枠体１３ａが設けられ、当該枠体１３ａには支持軸１３ｂを介して略Ｌ字形のレバー２０が夫々回動自在に取り付けられている。レバー２０の一端には絶縁ロッド１９の他端が回動自在に結合され、レバー２０の他端同士は連結ロッド２１によって連結されている。
【００１４】
取付板１３には駆動手段２２が取り付けられ、その第一出力軸２２ａにはレバー２３の一端が固着され、レバー２３の他端にはピン２４を介して連結ロッド２１の中間部が結合されている。
【００１５】
真空インタラプタ１６が開のときに可動リード棒１６ｅ等を接地するための接地開閉器２５が夫々の真空インタラプタ１６の側方に設けられている。接地開閉器２５の構成を以下に説明する。絶縁スペーサ２５ａを介して取付板１３を貫通する接地端子２５ｂが設けられ、接地端子２５ｂは図示しないケーブルを介して接地されている。接地端子２５ｂにはブレード２５ｃの一端が回動自在に設けられ、ブレード２５ｃを回動したときにその他端が接続導体１７に接続されるように、接続導体１７には当接部１７ｃが形成されている。
【００１６】
ブレード２５ｃを駆動するための構成を以下に説明する。前記駆動手段２２には第二出力軸２２ｂが一対設けられ、夫々の第二出力軸２２ｂにはレバー２５ｄの一端が固着され、レバー２５ｄの他端には連結ロッド２５ｅを介してブレード２５ｃの中間部が結合されている。
【００１７】
斯かるガス絶縁開閉装置の作用を説明する。駆動手段２２により第一出力軸２２ａを破線の矢印方向へ回動させると、連結ロッド２１が下動し、一対の真空インタラプタ１６が同時に投入される。この時、圧接バネ１９ａの作用により可動電極１６ｄが固定電極１６ｂに、常時圧接される。逆に、第一出力軸２２ａを実線の矢印方向へ回動させると、一対の真空インタラプタ１６が同時に遮断される。この遮断状態で一対の第二出力軸２２ｂを矢印の方向へ回動させると、ブレード２５ｃが矢印の方向へ回動し、当接部１７ｃに当接する。これにより、可動リード棒１６ｅや接続導体１７等の充電部が接地される。
【００１８】
上または下の真空インタラプタ１６のいずれか一方について、連結ロッド２１と可動リード棒１６ｅとの間の連結を外すことにより、他方の真空インタラプタ１６のみの開閉操作が可能となり、メンテナンスの際に容器１６ａの真空度の測定を個別に行なうことが出来る。
【００１９】
なお、遮断器としては真空インタラプタ以外の構成のものでもよく、接地開閉器はブレード式以外の構成のものでもよい。
【００２０】
【発明の効果】
以上の説明からわかるように、請求項１に係るガス絶縁開閉装置によれば、一対の遮断器を固定リード棒同士が接続された状態で同一軸心上に配置するとともに、相互に反対方向に臨む夫々の可動リード棒を連結手段を介して単一の駆動手段に連動連結したので、固定電極と可動電極とのギャップや圧接量の調整が遮断器ごとに独立して行なえることになり、調整が容易である。
【００２１】
また、夫々の遮断器における可動側の充電部を接地するための接地開閉器を、夫々の遮断器の側方に配置したので、遮断器の軸心方向での長さを短縮することが出来る。
【図面の簡単な説明】
【図１】本発明によるガス絶縁開閉装置の実施の形態を示す構成図。
【図２】従来のガス絶縁開閉装置の構成図。
【符号の説明】
１６…真空インタラプタ
１６ａ…容器
１６ｂ…固定電極
１６ｃ…固定リード棒
１６ｄ…可動電極
１６ｅ…可動リード棒
２６…連結手段
２５…接地開閉器
【図１】
2004064835.tif 000003
【図２】
2004064835.tif 000004